(57)【要約】【課題】主整流回路のダイオードのショート、平滑用コンデンサのショート等によっては電流制限抵抗器が焼損することが無いようにすることを目的とする。【解決手段】商用電源が供給される電源プラグ１の一端をヒューズ２、電源スイッチ３及び電流制限抵抗器４の直列回路を介して、主整流回路５の一方の入力端子に接続し、この電源プラグ１の他端をこの主整流回路５の他方の入力端子に接続し、この主整流回路５の出力信号を直流出力回路７に供給して主直流電源を得ると共にこの電流制限抵抗器４の両端間にこの電流制限抵抗器４をショートするリレースイッチ９を設け、この直流出力回路７の出力直流電圧によりこのリレースイッチ９を制御すると共にこの電源プラグ１の一端及び他端を補助電源回路１０，１１の入力側に接続し、この補助電源回路１０，１１の出力直流電圧によりこの電源スイッチ３を制御するようにした電源回路において、このリレースイッチ９をこの補助電源回路１０，１１の出力直流電圧によっても制御するようにしたものである。【選択図】　　　　図１
2004080419.tif 000002
【特許請求の範囲】
【請求項１】
商用電源が供給される電源プラグの一端をヒューズ、電源スイッチ及び電流制限抵抗器の直列回路を介して、主整流回路の一方の入力端子に接続し、前記電源プラグの他端を前記主整流回路の他方の入力端子に接続し、前記主整流回路の出力信号を直流出力回路に供給して主直流電源を得ると共に前記電流制限抵抗器の両端間に前記電流制限抵抗器をショートするリレースイッチを設け、前記直流出力回路の出力直流電圧により前記リレースイッチを制御すると共に前記電源プラグの一端及び他端を補助電源回路の入力側に接続し、該補助電源回路の出力直流電圧により前記電源スイッチを制御するようにした電源回路において、
前記リレースイッチを前記補助電源回路の出力直流電圧によっても制御するようにしたことを特徴とする電源回路。
【請求項２】
請求項１記載の電源回路において、
前記主整流回路が故障したときに前記補助電源回路の出力直流電圧により前記リレースイッチをオンとして、
前記ヒューズを遮断し、前記電流制限抵抗器の焼損を保護するようにしたことを特徴とする電源回路。
【発明の詳細な説明】
【０００１】
【発明の属する技術分野】
本発明はテレビジョン受像機等の電子機器に使用して好適な電源回路に関する。
【０００２】
【従来の技術】
従来、テレビジョン受像機の電源回路として図２に示す如きものが提案されている。この図２につき説明するに、図２において、１は商用電源が供給される電源プラグを示し、この電源プラグ１の一端をヒューズ２、後述する電磁装置３ａにより制御されるリレースイッチより成る電源スイッチ３及びラッシュカレントを制限する電流制限抵抗器４の直列回路を介してダイオードのブリッジ回路より成る主整流回路５の一方の入力端子に接続する。
【０００３】
この電源プラグ１の他端をこの主整流回路５の他方の入力端子に接続する。この主整流回路５の一方及び他方の出力端子間に平滑用のコンデンサ６を接続すると共に、この主整流回路５の整流出力信号を直流出力回路を構成する所望の直流電圧（主直流電源）例えば１２Ｖの直流電圧を得るＤＣ−ＤＣコンバータ７に供給し、このＤＣ−ＤＣコンバータ７の直流出力端子８にこの所望の直流電圧を供給する如くする。
【０００４】
この電流制限抵抗器４の両端間に電磁装置９ａによりオンオフが制御されるリレースイッチ９を接続し、このＤＣ−ＤＣコンバータ７の出力端子をこの電磁装置９ａを介して接地する。即ちＤＣ−ＤＣコンバータ７の出力側の直流電圧が、電源スイッチ３のオンより所定時間（ラッシュカレントが流れる時間）後に、所定電圧値以上となったときにリレースイッチ９をオンとし電流制限抵抗器４をショートする如くする。
【０００５】
また、ヒューズ２及び電源スイッチ３の接続点を補助電源回路を構成するトランス１０の１次巻線１０ａの一端に接続し、この１次巻線１０ａの他端を電源プラグ１の他端に接続すると共にこのトランス１０の２次巻線１０ｂに得られる交流電圧を補助電源回路を構成する整流回路１１に供給し、この整流回路１１の出力端子を平滑用のコンデンサ１２を介して接地し、この整流回路１１の出力側に例えば５Ｖの出力直流電圧を得る如くする。
【０００６】
この整流回路１１の出力端子を電源スイッチ３のオンオフを制御する電磁装置３ａを介して、ｎｐｎ形トランジスタ１３のコレクタに接続し、このトランジスタ１３のエミッタを接地し、このトランジスタ１３のベースを抵抗器１４を介して、オンオフ制御信号入力端子１５に接続する。
【０００７】
この場合、このオンオフ制御信号入力端子１５にハイレベル信号が供給されたときは、トランジスタ１３は導通状態となり整流回路１１よりの電流が電磁装置３ａ→トランジスタ１３→大地と流れ、電源スイッチ３はオンとなる。
【０００８】
このオンオフ制御信号入力端子１５にローレベル信号が供給されたときは、トランジスタ１３は不導通となり、電磁装置３ａには電流が流れないので電源スイッチ３はオフとなる。
【０００９】
斯る図２に示す如き従来の電源回路においては、電源スイッチ３をオンしたときには、リレースイッチ９はオフであり、電流制限抵抗器４によりラッシュカレント（過大電流）が阻止され所定時間後にＤＣ−ＤＣコンバータ７の出力電圧が所定値以上となったときに電磁装置９ａに所定の電流が流れリレースイッチ９をオンとし、その後の電流制限抵抗器４による電力消費をなくすことができる。
【００１０】
【発明が解決しようとする課題】
然しながら、電源スイッチ３がオンの状態で主整流回路５のダイオードがショートあるいは平滑用コンデンサ６がショートする等の故障が発生したときは、ＤＣ−ＤＣコンバータ７の出力電圧の値が小さくなり電磁装置９ａに電流が流れずリレースイッチ９がオフとなり、この主整流回路５のダイオードがショートあるいは平滑用コンデンサ６がショートしたときのヒューズ２に流れる電流はこの電流制限抵抗器４により制限され例えば５Ａであり、このヒューズ２が例えば６．３Ａで遮断する如くしているときは、この電流制限抵抗器４に５Ａの電流が流れつづけ、この電流制限抵抗器４が発熱し、この電流制限抵抗器４が焼損する不都合があった。
【００１１】
本発明は斯る点に鑑み、この主整流回路のダイオードのショート、平滑用コンデンサのショート等によっては、電流制限抵抗器が焼損することが無いようにすることを目的とする。
【００１２】
【課題を解決するための手段】
本発明電源回路は、商用電源が供給される電源プラグの一端をヒューズ、電源スイッチ及び電流制限抵抗器の直列回路を介して、主整流回路の一方の入力端子に接続し、この電源プラグの他端をこの主整流回路の他方の入力端子に接続し、この主整流回路の出力信号を直流出力回路に供給して主直流電源を得ると共にこの電流制限抵抗器の両端間にこの電流制限抵抗器をショートするリレースイッチを設け、この直流出力回路の出力直流電圧によりこのリレースイッチを制御すると共にこの電源プラグの一端及び他端を補助電源回路の入力側に接続し、この補助電源回路の出力直流電圧によりこの電源スイッチを制御するようにした電源回路において、このリレースイッチをこの補助電源回路の出力直流電圧によっても制御するようにしたものである。
【００１３】
本発明によれば、電流制限抵抗器の両端間に設けられたリレースイッチを補助電源回路の出力直流電圧によっても制御するようにしたので、この主整流回路のダイオードがショートあるいは平滑用コンデンサがショートする等の故障が発生したときにもリレースイッチは補助電源回路の出力直流電圧によってオン状態が保持され、電流制限抵抗器により電流が制限されることがなく大電流が流れ、ヒューズを遮断し、この電流制限抵抗器の焼損を保護することができる。
【００１４】
【発明の実施の形態】
以下図１を参照して本発明電源回路の実施の形態の例につき説明する。この図１において、図２に対応する部分には同一符号を付して示す。
【００１５】
図１において、１は商用電源が供給される電源プラグを示し、この電源プラグ１の一端をヒューズ２、後述する電磁装置３ａにより制御されるリレースイッチより成る電源スイッチ３及びラッシュカレントを制限する電流制限抵抗器４の直列回路を介してダイオードのブリッジ回路より成る主整流回路５の一方の入力端子に接続する。
【００１６】
この電源プラグ１の他端をこの主整流回路５の他方の入力端子に接続する。この主整流回路５の一方及び他方の出力端子間に平滑用のコンデンサ６を接続すると共にこの主整流回路５の整流出力信号を直流出力回路を構成する所望の直流電圧（主直流電源）例えば１２Ｖの直流電圧を得るＤＣ−ＤＣコンバータ７に供給し、このＤＣ−ＤＣコンバータ７の直流出力端子８にこの所望の直流電圧を供給する如くする。
【００１７】
この電流制限抵抗器４の両端間に電磁装置９ａによりオンオフが制御されるリレースイッチ９を接続し、このＤＣ−ＤＣコンバータ７の出力端子を逆流防止用のダイオード２０及びこの電磁装置９ａの直列回路を介して接地する。即ちこのＤＣ−ＤＣコンバータ７の出力側の直流電圧が電源スイッチ３のオンより所定時間（ラッシュカレントが流れる時間）後に所定電圧値以上となったときにリレースイッチ９をオンとし直流制限抵抗器４をショートし、不要の電力消費を無くすようにする。
【００１８】
また、ヒューズ２及び電源スイッチ３の接続点を補助電源回路を構成するトランス１０の１次巻線１０ａの一端に接続し、この１次巻線１０ａの他端を電源プラグ１の他端に接続すると共にこのトランス１０の２次巻線１０ｂに得られる交流電圧を補助電源回路を構成する整流回路１１に供給し、この整流回路１１の出力端子を平滑用のコンデンサ１２を介して接地し、この整流回路１１の出力側に例えば５Ｖの出力直流電圧を得る如くする。
【００１９】
この整流回路１１の出力端子を電源スイッチ３のオンオフを制御する電磁装置３ａを介してｎｐｎ形トランジスタ１３のコレクタに接続し、このトランジスタ１３のエミッタを接地し、このトランジスタ１３のベースを抵抗器１４を介して、オンオフ制御信号入力端子１５に接続する。
【００２０】
この場合、このオンオフ制御信号入力端子１５にハイレベル信号“１”が供給されたときは、トランジスタ１３は導通状態となり、補助電源回路を構成する整流回路１１よりの電流が電磁装置３ａ→トランジスタ１３→大地と流れ、電源スイッチ３はオンとなる。
【００２１】
このオフオフ制御信号入力端子１５にローレベル信号“０”が供給されたときは、トランジスタ１３は不導通となり、電磁装置３ａには電流が流れないので電源スイッチ３はオフとなる。
【００２２】
本例においては、この補助電源回路を構成する整流回路１１の出力端子をスイッチを構成するｐｎｐ形トランジスタ２１のエミッタに接続する。このトランジスタ２１はエミッタとベースとの間に抵抗器２１ａ及び２１ｂの直列回路が接続されたものである。
【００２３】
このトランジスタ２１のコレクタを逆流防止用のダイオード２２を介して、ダイオード２０及び電磁装置９ａの接続点に接続し、このトランジスタ２１のベース即ち抵抗器２１ａ及び２１ｂの接続点を抵抗器２３を介してトランジスタ１３のコレクタに接続する。また本例においてはトランジスタ２１のエミッタを時定数回路を構成するコンデンサ２４を介して抵抗器２３及び２１ｂの接続点に接続する。
【００２４】
この場合、コンデンサ２４、抵抗器２３等より成る時定数は、オンオフ制御信号入力端子１５にハイレベル信号“１”が供給され、電源スイッチ３がオンされたときに、この電源スイッチ３のオン時より所定時間（ラッシュカレントの流れる時間）後の電磁装置９ａに電流が流れリレースイッチ９がオンした後に、このトランジスタ２１が導通状態となる如くする。
【００２５】
本例は上述の如く構成されているので、オンオフ制御信号入力端子１５にハイレベル信号“１”を供給し、電源スイッチ３をオンしたときは、ＤＣ−ＤＣコンバータ７の出力電圧は低レベルであると共にトランジスタ２１は不導通であるので、電磁装置９ａには所定の電流は流れずリレースイッチ９はオフであり、電流制限抵抗器４によりラッシュカレント（過大電流）が阻止され、所定時間後にＤＣ−ＤＣコンバータ７の出力電圧が所定値以上となったときに、電磁装置９ａに所定の電流が流れリレースイッチ９をオンとすると共にトランジスタ２１が導通状態となり、その後の電流制限抵抗器４による電力消費をなくすことができる。
【００２６】
また、電源スイッチ３がオンの状態で主整流回路５のダイオードがショートあるいは平滑用コンデンサ６がショートする等の故障が発生したときは、ＤＣ−ＤＣコンバータ７の出力電圧の値が小さくなるが、本例においては、補助電源回路を構成する整流回路１１の出力直流電圧がトランジスタ２１を介してこの電磁装置９ａに供給されるので、リレースイッチ９はオン状態が保持され、電流制限抵抗器４により電流が制限されることがなく大電流が流れ、ヒューズ２を遮断し、この電流制限抵抗器４の焼損を保護することができる。
【００２７】
また、オンオフ制御信号入力端子１５にローレベル信号“０”が供給されたときは、トランジスタ１３が不導通状態となり、電磁装置３ａに電流が流れないので電源スイッチ３はオフとされ、トランジスタ２１のベース電圧が上昇すると共にコンデンサ２４の電荷が放電されトランジスタ２１が不導通状態となり、補助電源回路を構成する整流回路１１よりの電流を電磁装置９ａに供給しないと共にＤＣ−ＤＣコンバータ７の出力直流電圧を低下して電磁装置９ａに所定の電流を供給できなくなり、リレースイッチ９はオフされる。
【００２８】
以上述べた如く、本例によれば主整流回路５のダイオードのショートあるいは平滑用コンデンサのショート等の故障によっては電流制限抵抗器４を焼損することが無い利益がある。
【００２９】
尚、本発明は上述例に限ることなく本発明の要旨を逸脱することなく、その他種々の構成が取り得ることは勿論である。
【００３０】
【発明の効果】
本発明によれば、主整流回路のダイオードのショートあるいは平滑用コンデンサのショート等の故障によっては電流制限抵抗器を焼損することが無い利益がある。
【図面の簡単な説明】
【図１】本発明電源回路の実施の形態の例を示す構成図である。
【図２】従来の電源回路の例を示す構成図である。
【符号の説明】
１‥‥電源プラグ、２‥‥ヒューズ、３‥‥電源スイッチ、３ａ，９ａ‥‥電磁装置、４‥‥電流制限抵抗器、５‥‥主整流回路、６，１２，２４‥‥コンデンサ、７‥‥ＤＣ−ＤＣコンバータ、８‥‥直流出力端子、９‥‥リレースイッチ、１０‥‥トランス、１１‥‥整流回路、１３，２１‥‥トランジスタ、１４，２３‥‥抵抗器、１５‥‥オンオフ制御信号入力端子、２０，２２‥‥ダイオード
【図１】
2004080419.tif 000003
【図２】
2004080419.tif 000004